(57)【特許請求の範囲】
【請求項１】
底面と該底面の周縁より延長される側壁とを含む第１シャーシと、
前記第１シャーシ内に収納される導光板と、
前記第１シャーシの側壁を覆って、前記導光板の上部を押圧するように形成される第１固定部材と、
前記第１固定部材を前記第１シャーシの側壁に締結させる第１締結部材とを有し、
前記第１シャーシは、前記第１シャーシの側壁に形成される溝を含み、
前記導光板は前記溝と嵌合するように前記導光板の周縁から突出する第１突出部を含み、
前記第１固定部材は、前記第１突出部の上部を押圧するように形成され、
前記第１固定部材は、前記第１シャーシの側壁を覆う第１固定部と、
前記第１固定部から水平方向に対し前記第１シャーシの側壁の方向に湾曲される湾曲部と、
前記湾曲部から下方向に突出して前記第１突出部を押圧する第２固定部とを含み、
前記第１シャーシ内に収納されて、前記導光板の上に配置されるシートをさらに有し、
前記シートは、前記第１突出部と同一の平面形状を有するように前記シートの周縁から突出する第２突出部と、
前記第２突出部の一部領域を貫通するホールとを含み、
前記第１固定部材の第２固定部は前記ホールと嵌合されることを特徴とする表示装置。
【請求項２】
底面と該底面の周縁より延長される側壁とを含む第１シャーシと、
前記第１シャーシ内に収納される導光板と、
前記第１シャーシの側壁を覆って、前記導光板の上部を押圧するように形成される第１固定部材と、
前記第１固定部材を前記第１シャーシの側壁に締結させる第１締結部材とを有し、
前記第１シャーシは、前記第１シャーシの側壁に形成される溝を含み、
前記導光板は前記溝と嵌合するように前記導光板の周縁から突出する第１突出部を含み、
前記第１固定部材は、前記第１突出部の上部を押圧するように形成され、
前記第１固定部材は、前記第１シャーシの側壁を覆う第１固定部と、
前記第１固定部から前記第１シャーシの側壁の内方向に屈曲して上方から前記第１突出部を押圧する第２固定部とを含み、
前記第１シャーシ内に収納されて、前記導光板の上に配置されるシートと、
前記第１シャーシの側壁を覆う第３固定部と、該第３固定部から垂直方向に対し前記第１シャーシの側壁の方向に湾曲され、前記シートの上部を押圧する突起部を有して形成される第４固定部とを含む第２固定部材と、
前記第２固定部材を前記第１シャーシの側壁に締結させる第２締結部材をさらに有することを特徴とする表示装置。
【請求項３】
前記シートは、その周縁から突出する第２突出部と、
前記第２突出部の一部領域を貫通するホールとを含み、
前記第２固定部材の第４固定部の突起部は、前記ホールと嵌合されることを特徴とする請求項２に記載の表示装置。
【発明の詳細な説明】
【技術分野】
【０００１】
本発明は、表示装置に関し、より詳しくは、画面の表示に利用されないベゼル空間を減らすことができる表示装置に関する。
【背景技術】
【０００２】
現在、幅広く利用されるコンピュータモニタ、テレビ、携帯電話機などには表示装置が必要である。表示装置には陰極線管表示装置、液晶表示装置、及びプラズマ表示装置などがある。
液晶表示装置は、現在最も幅広く使用されている平板表示装置の一つであって、画素電極と共通電極など電界生成電極が形成されている二枚の表示板と、その間に挿入されている液晶層からなり、電界生成電極に電圧を印加して液晶層に電界を生成し、これを通じて液晶層の液晶分子の配向を決定し、入射光の偏光を制御することによって画像を表示する。
【０００３】
このような液晶表示装置は、自ら発光できないので、光源を必要とする。この時、光源は別途に具備された人工光源であるか、または自然光とすることができる。
液晶表示装置に用いられる人工光源には、発光ダイオード（ＬＥＤ：Ｌｉｇｈｔ  Ｅｍｉｔｔｉｎｇ  ｄｉｏｄｅ）、冷陰極蛍光ランプ（ＣＣＦＬ：ｃｏｌｄ  ｃａｔｈｏｄｅ  ｆｌｕｏｒｅｓｃｅｎｔ  ｌａｍｐ）、外部電極蛍光ランプ（ＥＥＦＬ：ｅｘｔｅｒｎａｌ  ｅｌｅｃｔｒｏｄｅ  ｆｌｕｏｒｅｓｃｅｎｔ）などがある。
このような人工光源から発生した光が、又、液晶表示装置は、表示板の全体に均一な輝度で到達するようにする導光板（ＬＧＰ、Ｌｉｇｈｔ  Ｇｕｉｄｅ  Ｐｌａｔｅ）を必要とする。
【０００４】
液晶表示装置は、表示板、光源、導光板などの構成要素を収納できるボトムシャーシを含む。
液晶表示装置の製造及び運搬過程で、構成要素が分離、損傷するのを防止するためにはボトムシャーシに固定させる必要がある。
【０００５】
従来は、導光板に溝を形成して、このような溝を通過するピンをボトムシャーシに圧入することによって、導光板をボトムシャーシに固定した。そのために画面の表示に利用されないベゼル空間が大きくなるという問題点があった。
また、導光板がボトムシャーシに固定された状態で、光源から持続的な熱の供給を受けて高温及び高湿の状態になると、変形が起こり得る。この時、光源もボトムシャーシに固定された状態であるため、導光板の変形によって光源が影響を受けないようにするために、光源と導光板の間の間隔を広く設計することによって、画面の表示に利用されないベゼル空間が大きくなるという問題点があった。
【発明の概要】
【発明が解決しようとする課題】
【０００６】
そこで、本発明は上記従来の表示装置における問題点に鑑みてなされたものであって、本発明の目的は、画面の表示に利用されないベゼル空間を減らすことができる表示装置を提供することにある。
【課題を解決するための手段】
【０００７】
上記目的を達成するためになされた本発明による表示装置は、底面と該底面の周縁より延長される側壁とを含む第１シャーシと、前記第１シャーシ内に収納される導光板と、前記第１シャーシの側壁を覆って、前記導光板の上部を押圧するように形成される第１固定部材と、前記第１固定部材を前記第１シャーシの側壁に締結させる第１締結部材とを有し、前記第１シャーシは、前記第１シャーシの側壁に形成される溝を含み、前記導光板は前記溝と嵌合するように前記導光板の周縁から突出する第１突出部を含み、前記第１固定部材は、前記第１突出部の上部を押圧するように形成され、前記第１固定部材は、前記第１シャーシの側壁を覆う第１固定部と、前記第１固定部から水平方向に対し前記第１シャーシの側壁の方向に湾曲される湾曲部と、前記湾曲部から下方向に突出して前記第１突出部を押圧する第２固定部とを含み、前記第１シャーシ内に収納されて、前記導光板の上に配置されるシートをさらに有し、前記シートは、前記第１突出部と同一の平面形状を有するように前記シートの周縁から突出する第２突出部と、前記第２突出部の一部領域を貫通するホールとを含み、前記第１固定部材の第２固定部は前記ホールと嵌合されることを特徴とする。
【０００８】
上記目的を達成するためになされた本発明による表示装置は  、底面と該底面の周縁より延長される側壁とを含む第１シャーシと、前記第１シャーシ内に収納される導光板と、前記第１シャーシの側壁を覆って、前記導光板の上部を押圧するように形成される第１固定部材と、前記第１固定部材を前記第１シャーシの側壁に締結させる第１締結部材とを有し、前記第１シャーシは、前記第１シャーシの側壁に形成される溝を含み、前記導光板は前記溝と嵌合するように前記導光板の周縁から突出する第１突出部を含み、前記第１固定部材は、前記第１突出部の上部を押圧するように形成され、前記第１固定部材は、前記第１シャーシの側壁を覆う第１固定部と、前記第１固定部から前記第１シャーシの側壁の内方向に屈曲して上方から前記第１突出部を押圧する第２固定部とを含み、前記第１シャーシ内に収納されて、前記導光板の上に配置されるシートと、前記第１シャーシの側壁を覆う第３固定部と、該第３固定部から垂直方向に対し前記第１シャーシの側壁の方向に湾曲され、前記シートの上部を押圧する突起部を有して形成される第４固定部とを含む第２固定部材と、前記第２固定部材を前記第１シャーシの側壁に締結させる第２締結部材をさらに有することを特徴とする。
【発明の効果】
【０００９】
本発明に係る表示装置によれば、第１シャーシに溝を形成し、導光板に突出部を形成して、突出部が溝に嵌合するようにして固定させることによって、画面の表示に利用されないベゼル空間を減らすことができるという効果がある。
導光板、シートなどを第１シャーシに固定させる時、下側に押圧するように固定部材を形成することによって上下方向にも固定が行われるので、さらに堅固に固定できるという効果がある。
また、導光板を第１シャーシ及び補助シャーシにそれぞれ固定させ、第１シャーシと補助シャーシは可動可能に固定させることによって、導光板が高温及び高湿の状態で変形が起こる時、補助シャーシが動けるようにして、補助シャーシに固定された光源が変形した導光板の影響を受けないようにするという効果がある。
さらに、導光板と光源の間の間隔を最小化することによって、光源から発生した光が損失される量を減少させて輝度を高めることができ、画面の表示に利用されないベゼル空間を減らすことができるという効果がある。
【図面の簡単な説明】
【００１０】
【図１】本発明の第１の実施形態による表示装置の部分斜視図である。
【図２】図１のＩＩ−ＩＩ線に沿った断面図である。
【図３】第１の実施形態による表示装置の導光板の平面図である。
【図４】第１の実施形態による表示装置のシートの平面図である。
【図５】第１の実施形態による表示装置の第１固定部材の斜視図である。
【図６】本発明の第２の実施形態による表示装置の部分切開斜視図である。
【図７】図６のＶＩＩ−ＶＩＩ線に沿った断面図である。
【図８】第２の実施形態による表示装置の部分切開斜視図である。
【図９】図８のＩＸ−ＩＸ線に沿った断面図である。
【図１０】本発明の第３の実施形態による表示装置の概略平面図である。
【図１１】図１０のＡ部分を拡大した平面図である。
【図１２】本発明の第３の実施形態による表示装置の部分斜視図である。
【図１３】本発明の第３の実施形態による表示装置の第１固定部材を示す斜視図である。
【図１４】図１２のＸＩＶ−ＸＩＶ線に沿った断面図である。
【図１５】本発明の第３の実施形態による表示装置の部分斜視図である。
【図１６】図１５のＸＶＩ−ＸＶＩ線に沿った断面図である。
【図１７】本発明の第３の実施形態による表示装置の部分断面図である。
【図１８】本発明の第３の実施形態による表示装置の部分断面図である。
【図１９】導光板と光源間の間隔による輝度を示すグラフである。
【発明を実施するための形態】
【００１１】
次に、本発明に係る表示装置を実施するための形態の具体例を図面を参照しながら説明する。
図面において、種々の層及び領域を明確に表現するために厚さを拡大して示した。明細書の全体にわたって類似する部分に対しては同一の図面符号を付けた。層、膜、領域、板などの部分が他の部分の「上」にあるという時、これは他の部分の「すぐ上」にある場合だけでなく、その中間に他の部分がある場合も含む。一方、ある部分が他の部分の「すぐ上」にあるという時には、中間に他の部分がないことを意味する。
【００１２】
図１は、本発明の第１の実施形態による表示装置の部分斜視図であり、図２は、図１のＩＩ−ＩＩ線に沿った断面図であり、図３は、第１の実施形態による表示装置の導光板の平面図であり、図４は、第１の実施形態による表示装置のシートの平面図であり、図５は、第１の実施形態による表示装置の第１固定部材の斜視図である。
【００１３】
図１〜図５を参照すると、本発明の第１の実施形態による表示装置は、第１シャーシ１００、第１シャーシ１００内に収納される導光板２００、第１シャーシ１００の側壁を覆って、導光板２００の上部を押すように形成される第１固定部材４１０、及び第１固定部材４１０を第１シャーシ１００に締結させる第１締結部材５１０を含む。
【００１４】
第１シャーシ１００は、表示装置を構成する要素を収納するための空間を有しており、底面及び底面の周縁から延長した側壁を含む。第１シャーシ１００の側壁には溝１１０が形成されている。この時、溝１１０は複数個形成してもよい。
導光板２００は、光源（図示せず）から発生した光を表示装置の全体面に均一に伝達するためのものであって、アクリル射出物で形成することができる。導光板２００は、第１シャーシ１００の溝１１０に嵌合するように、導光板２００の周縁から突出する第１突出部２１０を含む。この時、第１突出部２１０は複数個形成してもよい。
【００１５】
図３に示すように、導光板２００は四角形に形成でき、導光板２００の複数の第１突出部２１０は互いに対向する２辺に形成することができる。したがって、第１シャーシ１００の複数の溝１１０と導光板２００の複数の第１突出部２１０が互いに対向する２辺に形成されて固定されることによって、導光板２００は第１シャーシ１００に対してｘ軸方向及びｙ軸方向に固定される。
【００１６】
第１固定部材４１０は、導光板２００の第１突出部２１０を押圧するように形成される。
第１固定部材４１０は、第１シャーシ１００の側壁を覆う第１固定部４１２、第１固定部４１２から水平方向に対し第１シャーシ１００の側壁の内側の方向に湾曲される湾曲部４１４、及び湾曲部４１４から下方向に突出して第１突出部２１０を押圧する第２固定部４１６を含む。
【００１７】
第１締結部材５１０は、例えば、ねじ（ｓｃｒｅｗ）とすることができ、第１固定部材４１０と第１シャーシ１００とをねじ（第１締結部材５１０）を締めて締結させることができる。この時、ねじ以外に他の締結手段を利用して締結させることも可能である。
【００１８】
本発明の第１の実施形態による表示装置は、第１シャーシ１００内に収納され、導光板２００の上に配置するシート３００をさらに含むことができる。
シート３００は、導光板２００の第１突出部２１０と同一の平面形状を有するように、シート３００の周縁から突出する第２突出部３１０、及び第２突出部３１０の一部領域を貫通するホール３２０を含む。
第１固定部材４１０の第２固定部４１６は、シート３００のホール３２０に嵌合される。第２突出部３１０及びホール３２０は、複数個形成してもよい。シート３００は多様なフィルムを用いることができ、例えば、保護フィルム、拡散フィルム、及び輝度強化フィルムなどがある。
【００１９】
図４に示すように、シート３００は四角形状とすることができ、シート３００の複数の第２突出部３１０は互いに対向する２辺に形成することができる。したがって、第１シャーシ１００の複数の溝１１０とシート３００の複数の第２突出部３１０が互いに対向する２辺に形成されて固定されることによって、シート３００は第１シャーシ１００に対してｘ軸方向及びｙ軸方向に固定される。
【００２０】
第１固定部材４１０の第２固定部４１６は、シート３００のホール３２０に嵌合されて、導光板２００の第１突出部２１０を押圧することによって、導光板２００及びシート３００は第１シャーシ１００に対してｚ軸方向に固定される。
【００２１】
図６は、本発明の第の２実施形態による表示装置の部分切開斜視図であり、図７は、図６のＶＩＩ−ＶＩＩ線に沿った断面図であり、図８は、第２の実施形態による表示装置の部分切開斜視図であり、図９は、図８のＩＸ−ＩＸ線に沿った断面図である。
【００２２】
図６〜図９を参照すると、本発明の第２の実施形態による表示装置は、図６及び図７に示すように、第１シャーシ１００、第１シャーシ１００内に収納される導光板２００、第１シャーシ１００の側壁を覆って、導光板２００の上部を押圧するように形成される第１固定部材４２０、及び第１固定部材４２０を第１シャーシ１００に締結させる第１締結部材５２０を含む。
【００２３】
第１シャーシ１００は、表示装置を構成する要素を収納するための空間を有しており、底面及び底面の周縁から延長した側壁を含む。第１シャーシ１００は下部板１０２及び上部板１０４を含み、下部板１０２及び上部板１０４は第３締結部材５２２によって結合される。第１シャーシ１００の側壁には溝１１０が形成されている。この時、溝１１０は複数個形成してもよい。
【００２４】
導光板２００は、光源（図示せず）から発生した光を表示装置の全体面に均一に伝達するためのものであって、アクリル射出物で形成することができる。導光板２００は、第１シャーシ１００の溝１１０に嵌合されるように、導光板２００の周縁から突出する第１突出部２１０を含む。この時、第１突出部２１０は複数個形成してもよい。
導光板２００の第１突出部２１０が第１シャーシ１００の溝に嵌合されることによって、導光板２００は第１シャーシ１００に対してｘ軸方向及びｙ軸方向に固定される。
【００２５】
第１固定部材４２０は、導光板２００の第１突出部２１０を押圧するように形成される。第１固定部材４２０は、第１シャーシ１００の側壁を覆う第１固定部４２２、及び第１固定部４２２から第１シャーシ１００の側壁の内方向に屈曲して第１突出部２１０を上方から押圧する第２固定部４２６を含む。第１固定部材４２０の第２固定部４２６が導光板２００の第１突出部２１０を押すことによって、導光板２００は第１シャーシ１００に対してｚ軸方向に固定される。
第１固定部材４２０は、第１シャーシ１００の溝１１０を覆わないように「Ｕ」字状に形成することができる。
【００２６】
第１締結部材５２０は、例えば、ねじとすることができ、第１固定部材４２０の第１固定部４２２と第１シャーシ１００とをねじ（第１締結部材５２０）を締めて締結させることができる。
【００２７】
本発明の第２の実施形態による表示装置は、図８及び図９に示すように、第１シャーシ１００内に収納されて、導光板２００の上に配置するシート３００、第１シャーシ１００の側壁を覆って、シート３００の上部を押すように形成される第２固定部材４３０、及び第２固定部材４３０を第１シャーシ１００の側壁に締結させる第２締結部材５３０をさらに有することができる。
【００２８】
シート３００は、周縁から突出する第２突出部３１０、及び第２突出部３１０の一部領域を貫通するホール３２０を含む。第２固定部材４３０はシート３００のホール３２０に嵌合される。第２突出部３１０及びホール３２０は複数個形成してもよい。シート３００は多様なフィルムを用いることができ、例えば、保護フィルム、拡散フィルム、及び輝度強化フィルムなどがある。
【００２９】
第２固定部材４３０は、シート３００の第２突出部３１０を押圧するように形成される。第２固定部材４３０は、第１シャーシ１００の側壁を覆う第３固定部４３２と、第３固定部４３２から垂直方向に対し前記第１シャーシの側壁の方向に湾曲され、下方向に「Ｕ」字状に形成される突起部を有する第４固定部４３６を含む。
第２固定部材４３０の第４固定部４３６の突起部は、シート３００の第２突出部３１０を押圧しながら、シート３００のホール３２０に嵌合されることによって、シート３００は第１シャーシに対してｘ軸方向、ｙ軸方向、及びｚ軸方向に固定される。
【００３０】
第２締結部材５３０は、例えば、ねじとすることができ、第２固定部材４３０と第１シャーシ１００とをねじ（第２締結部材５３０）を締めて締結させることができる。
【００３１】
図１０は、本発明の第３の実施形態による表示装置の概略平面図であり、図１１は、図１０のＡ部分を拡大した平面図であり、図１２は、本発明の第３の実施形態による表示装置の部分斜視図であり、図１３は、本発明の第３の実施形態による表示装置の第１固定部材を示す斜視図であり、図１４は、図１２のＸＩＶ−ＸＩＶ線に沿った断面図であり、図１５は本発明の第３の実施形態による表示装置の部分斜視図であり、図１６は、図１５のＸＶＩ−ＸＶＩ線に沿った断面図であり、図１７及び図１８は、本発明の第３の実施形態による表示装置の部分断面図であり、図１９は導光板と光源間の間隔による輝度を示すグラフである。
【００３２】
本発明の第３の実施形態による表示装置は、第１シャーシ１００、第１シャーシ１００に可動可能に固定される補助シャーシ６００、及び第１シャーシ１００と補助シャーシ６００内に収納されて、補助シャーシ６００によって固定される導光板２００を含む。
第１シャーシ１００は、表示装置を構成する要素を収納するための空間を有しており、底面及び底面の周縁から延長した側壁を含む。第１シャーシ１００は四角形に形成できる。第１シャーシ１００の側壁には第１溝１２０が形成されている。この時、第１溝１２０は複数個形成してもよい。
【００３３】
補助シャーシ６００は、第１シャーシ１００の対向する二つの辺に配置して、第１シャーシ１００の底面に可動可能に固定される。
導光板２００は、第１シャーシ１００の第１溝１２０に嵌合するように導光板２００の周縁から突出する第１突出部２１０、及び第１溝１２０より小さい幅を有して、導光板２００の周縁から突出する第２突出部２２０を含む。この時、第１突出部２１０及び第２突出部２２０は複数個形成してもよい。
導光板２００の第１突出部２１０と第１シャーシ１００の第１溝１２０が嵌合することによって、導光板２００は第１シャーシ１００に対してｘ軸方向及びｙ軸方向に固定される。
【００３４】
本発明の第３の実施形態による表示装置は、図１１〜図１４に示すように、導光板２００と補助シャーシ６００を固定させる第１固定部材４４０、及び第１固定部材４４０を補助シャーシ６００に締結させる第１締結部材５４０をさらに含むことができる。
第１固定部材４４０は、導光板２００の第２突出部２２０を囲むように「Ｕ」字状に形成される第１固定部４４２、第１固定部４４２から屈曲延長され補助シャーシ６００の下側に配置される第２固定部４４４、及び第２固定部４４４から突出した第３固定部４４６を含む。
【００３５】
第１固定部材４４０の第１固定部４４２は導光板２００の第２突出部２２０と噛み合って、導光板２００は補助シャーシ６００に対してｘ軸方向及びｙ軸方向に固定される。
補助シャーシ６００は側面に形成された第２溝６１０及び第３溝６２０を含む。第２溝６１０及び第３溝６２０は、導光板２００の第２突出部２２０の両側の終点に対応する部分から補助シャーシ６００の内側に向かって凹状をしている。この時、第２溝６１０及び第３溝６２０は、補助シャーシ６００の側面に対して直角に凹んだ形状であり、第２溝６１０と第３溝６２０は同一の形状でありうる。
【００３６】
第１固定部材４４０の第３固定部４４６は、補助シャーシ６００の第２溝６１０及び第３溝６２０と嵌合するように、第２固定部４４４から突出した形状である。第１固定部材４４０の第３固定部４４６が補助シャーシ６００の第２溝６１０及び第３溝６２０に嵌合することによって、補助シャーシ６００は導光板２００をｘ軸方向及びｙ軸方向に固定する。
【００３７】
第１締結部材５４０は、第１固定部材４４０の第２固定部４４４を補助シャーシ６００に締結させる。第１締結部材５４０は、例えば、ねじとすることができ、第１固定部材４４０の第２固定部４４４と補助シャーシ６００とをねじ（第１締結部材５４０）を締めて締結させる。第１締結部材５４０によって第１固定部材４４０と補助シャーシ６００の結合をさらに堅固にすることができる。
【００３８】
本発明の第３の実施形態による表示装置は、図１５及び図１６に示すように、補助シャーシ６００を第１シャーシ１００に可動可能に固定させる第２固定部材４５０をさらに含むことができる。
第２固定部材４５０は、円筒形の頭部４５２、頭部４５２から延長した円筒形の可動部４５４、及び可動部４５４から延長し、ねじ山が形成される締結部４５６を含む。
補助シャーシ６００は、第２固定部材４５０が通過できるホール６３０を含む。
【００３９】
頭部４５２は、ホール６３０の直径より大きい直径を有するように形成されて、補助シャーシ６００が第１シャーシ１００に対してｚ軸方向に移動できないように固定する。
可動部４５４はホール６３０の直径より小さい直径を有するように形成されて、補助シャーシ６００が第１シャーシ１００に対してｘ軸方向及びｙ軸方向に移動できる。この時、補助シャーシ６００が第１シャーシ１００に対して移動できる距離は、可動部４５４の直径とホール６３０の直径との差（Ｔ１）ほどである。可動部４５４の直径とホール６３０の直径との差（Ｔ１）の具体的な数値は、以下、図１７及び図１８で説明する。
【００４０】
導光板２００は、第１シャーシ１００及び補助シャーシ６００に固定され、補助シャーシ６００は第１シャーシ１００に可動可能に固定されることによって、導光板２００が温度及び湿度の影響を受けて変形する場合、補助シャーシ６００が第１シャーシ１００に対してｘ軸方向及びｙ軸方向に移動するようになる。
【００４１】
可動部４５４の高さ（Ｔ２）は、補助シャーシ６００の厚さ（Ｔ３）より大きく形成する。可動部４５４の高さ（Ｔ２）と補助シャーシ６００の厚さ（Ｔ３）が同一である場合、第２固定部材４５０の頭部４５２の下部面が補助シャーシ６００に密着して、補助シャーシ６００の移動が困難となりうるためである。即ち、頭部４５２と補助シャーシ６００の間に空間を設けることによって、補助シャーシ６００が第１シャーシ１００に対してｘ軸方向及びｙ軸方向に円滑に移動することができる。
締結部４５６はホール６３０より小さい直径を有するように形成されて、締結部４５６がホール６３０を通過することができる。締結部４５６は、例えば、ねじとすることができ、第１シャーシ１００に締められる。
【００４２】
本発明の第３の実施形態による表示装置は、図１７及び図１８に示すように、補助シャーシ６００の側面に固定される光源７００をさらに含むことができ、光源７００は導光板２００の側面と対向するよう配置される。
補助シャーシ６００が導光板２００の変形にもかかわらず、第１シャーシ１００に対して完全に固定されていれば、光源７００と導光板２００間の間隔が次第に狭くなって、互いに影響を与えるようになる。本実施形態においては、補助シャーシ６００が導光板２００の変形に応じて移動するので、光源７００と導光板２００間の間隔が一定に維持されて、このような影響を防止することができる。
【００４３】
したがって、可動部４５４の直径とホール６３０の直径との差（Ｔ１）は、導光板２００が変形する程度によって設計できる。導光板２００が変形する程度は、液晶パネルの対角線の長さに影響を受け、例えば、液晶パネルの対角線の長さが５５インチである時、約１．２ｍｍ、液晶パネルの対角線の長さが４６インチである時、約１．０ｍｍ、液晶パネルの対角線の長さが４０インチである時、約０．８ｍｍと設計することができる。
【００４４】
導光板２００と光源７００とが互いに干渉が起こらないように、一定の間隔を有するようにした本発明の第３の実施形態による表示装置では、導光板２００の変形に応じて光源７００が固定されている補助シャーシ６００が移動するので、導光板２００と光源７００間の間隔を最小化することができる。
【００４５】
図１９に示すように、導光板２００と光源７００間の間隔が小さくなるほど、輝度が高まることを確認できる。導光板２００と光源７００が近くなるほど、光源７００から出る光が導光板２００に入射する比率がさらに大きくなるからである。
補助シャーシ６００が移動できない構造で、導光板２００と光源７００の干渉を防止するために、導光板２００と光源７００の間の間隔を１．２ｍｍとする場合、輝度は約６５％と現れる。
本実施形態において、導光板２００と光源７００の間の間隔を０．６ｍｍとする場合、輝度を約８４％に向上させることができ、０．２５ｍｍとする場合、輝度を約９６％に向上させることができ、０．１５ｍｍとする場合、輝度を約１００％に向上させることができる。
【００４６】
本発明の第３の実施形態による表示装置は、図１７及び図１８に示したように、補助シャーシ６００の上に収納される液晶パネル９００、液晶パネル９００の周縁を囲んで補助シャーシ６００に固定される第２シャーシ８００、及び第２シャーシ８００を補助シャーシ６００に締結させる第２締結部材５４２をさらに含むことができる。
上述の通り、導光板２００の変形に応じて補助シャーシ６００は第１シャーシ１００に対して移動することができ、第２シャーシ８００は補助シャーシ６００に固定されているので、補助シャーシ１００の移動によって共に移動する。
【００４７】
尚、本発明は、上述の実施形態に限られるものではない。本発明の技術的範囲から逸脱しない範囲内で多様に変更実施することが可能である。
【符号の説明】
【００４８】
１００    第１シャーシ
１１０    溝
１２０    第１溝
２００    導光板
２１０    第１突出部
２２０、３１０    第２突出部
３００    シート
３２０、６３０    ホール
４１０、４２０、４４０    第１固定部材
４１２、４２２、４４２    第１固定部
４１４    切曲部
４１６、４２６、４４４    第２固定部
４３０    第２固定部材
４３２、４４６    第３固定部
４３６    第４固定部
４５０    第２固定部材
４５２    頭部
４５４    可動部
４５６    締結部
５１０、５２０、５４０    第１締結部材
５２２    第３締結部材
５３０、５４２    第２締結部材
６００    補助シャーシ
６１０    第２溝
６２０    第３溝
７００    光源
８００    第２シャーシ
【図１】
0005968638.tif 000002
【図２】
0005968638.tif 000003
【図３】
0005968638.tif 000004
【図４】
0005968638.tif 000005
【図５】
0005968638.tif 000006
【図６】
0005968638.tif 000007
【図７】
0005968638.tif 000008
【図８】
0005968638.tif 000009
【図９】
0005968638.tif 000010
【図１０】
0005968638.tif 000011
【図１１】
0005968638.tif 000012
【図１２】
0005968638.tif 000013
【図１３】
0005968638.tif 000014
【図１４】
0005968638.tif 000015
【図１５】
0005968638.tif 000016
【図１６】
0005968638.tif 000017
【図１７】
0005968638.tif 000018
【図１８】
0005968638.tif 000019
【図１９】
0005968638.tif 000020